(57)【要約】走査線１１２が選択される水平走査期間において、３本のデータ線１１４を選択して、選択走査線と選択データ線との交差に対応する画素の階調に応じた画像信号を、選択したデータ線１１４にサンプリングさせるとともに、当該３本のデータ線１１４を選択している最中に、次のデータ線１１４を３本選択して、選択走査線と次の３本データ線との交差に対応する画素の階調に応じた画像信号を、次の３本のデータ線１１４にサンプリングさせる。この際、水平走査期間の最初に選択される３本のデータ線１１４に対応する画素については、非表示領域１０３ａとして表示に寄与させない。【特許請求の範囲】
【請求項１】
複数の走査線とデータ線との交差に対応して設けられた画素と、
前記走査線を順次選択する走査線駆動回路と、
前記走査線が選択される水平表示期間に、
所定数の前記データ線を含む複数のブロックを順次選択して、当該ブロックを選択する期間内に当該ブロックに含まれる前記所定数のデータ線に同時に画像信号を供給するデータ線駆動回路とを有し、
前記データ線から前記画素に前記画像信号が供給される電気光学装置であって、
前記複数のブロックのうちの第１ブロックを選択した後に、前記複数のブロックのうちの第２ブロックを選択し、
前記第１ブロックを選択する期間と前記第２ブロックを選択する期間とは部分的に重なっており、
前記水平表示期間の最初に選択される複数のデータ線に対応する画素を、非表示とする
ことを特徴とする電気光学装置。
【請求項２】
前記データ線駆動回路は、
前記水平表示期間の最初に選択される一以上のデータ線に、前記画素を最低輝度または最低輝度近傍の輝度にさせる電圧を印加する
ことを特徴とする請求項１に記載の電気光学装置。
【請求項３】
前記水平表示期間の最初に選択される一以上のデータ線に対応する画素を覆うように設けられた遮光層を有する
ことを特徴とする請求項１に記載の電気光学装置。
【請求項４】
前記水平表示期間の最初に選択される一以上のデータ線には、前記画素の一部または全部が設けられない
ことを特徴とする請求項１に記載の電気光学装置。
【請求項５】
画像信号を供給する複数の画像信号線を有し、
前記データ線駆動回路は、前記ブロックを選択する期間内に、前記画像信号線のそれぞれから前記データ線のそれぞれに前記画像信号をサンプリングするサンプリングスイッチを含む
ことを特徴とする請求項１に記載の    電気光学装置。
【請求項６】
前記複数の画像信号線の本数は、前記ブロックに含まれるデータ線の本数よりも多いことを特徴とする請求項５に記載の電気光学装置。
【請求項７】
前記画像信号の各々は前記複数の画像信号線のそれぞれに分配されて供給される
ことを特徴とする請求項５に記載の電気光学装置。
【請求項８】
前記データ線駆動回路は、
一つのパルスを、当該一つのパルスに隣接するパルスと重なるように整形して、当該整形されたパルスを、前記サンプリングスイッチを制御するサンプリング信号として出力する回路を有する
ことを特徴とする請求項５に記載の電気光学装置。
【請求項９】
前記回路は、
前記一つのパルスと、位相が順次シフトした複数のイネーブル信号のいずれかとに基づいて前記サンプリング信号を出力する
ことを特徴とする請求項８に記載の電気光学装置。
【請求項１０】
前記データ線駆動回路は、
一以上のデータ線を一定期間だけ選択し、
このデータ線を選択している最中に、別のデータ線を一以上一定期間だけ選択し、
別のデータ線を一以上選択している最中に、さらに別のデータ線を一以上一定期間だけ選択する動作を繰り返しながら、一つの走査線が選択された期間にわたって全データ線を選択する
ことを特徴とする請求項１に記載の電気光学装置。
【請求項１１】
前記水平表示期間の最後に選択される複数のデータ線に対応する画素を非表示とする
ことを特徴とする電気光学装置
【請求項１２】
複数の走査線とデータ線との交差に対応して設けられた画素を有する電気光学装置の駆動方法であって、
前記走査線を順次選択し、
前記走査線が選択された期間に、
所定数の前記データ線を含む複数のブロックを順次選択して、当該ブロックを選択する期間内に当該ブロックに含まれる前記所定数のデータ線に同時に画像信号を供給し、
前記複数のブロックのうちの第１ブロックを選択した後に、前記複数のブロックのうちの第２ブロックを選択し、
前記第１ブロックを選択する期間と前記第２ブロックを選択する期間とは部分的に重なるように設定し、
前記走査線が選択された期間の最初に選択される一以上のデータ線に対応する画素を、非表示とさせる
ことを特徴とする電気光学装置の駆動方法。
【請求項１３】
複数の走査線とデータ線との交差に対応して設けられた画素を有する電気光学装置の駆動回路であって、
走査線を順次選択する走査線選択回路と、
前記走査線が選択された期間に、
所定数の前記データ線を含む複数のブロックを順次選択して、当該ブロックを選択する期間内に当該ブロックに含まれる前記所定数のデータ線に同時に画像信号を供給し、
前記複数のブロックのうちの第１ブロックを選択した後に、前記複数のブロックのうちの第２ブロックを選択し、
前記第１ブロックを選択する期間と前記第２ブロックを選択する期間とは部分的に重なっており、
前記走査線が選択された期間の最初に選択される一以上のデータ線に対応する画素を、非表示とさせるデータ線駆動回路と
を具備することを特徴とする電気光学装置の駆動回路。
【請求項１４】
請求項１乃至１１のいずれかに記載の電気光学装置を有することを特徴とする電子機器。
【発明の詳細な説明】
【技術分野】  本発明は、１以上のデータ線をまとめて駆動する場合に現れる表示品位の低下を抑える技術に関する。
【背景技術】  近年では、液晶などの電気光学パネルを用いて小型画像を形成するとともに、この小型画像を光学系によってスクリーンや壁面等に拡大投射するプロジェクタが普及しつつある。プロジェクタは、それ自体で画像を作成する機能はなく、パソコンやテレビチューナなどの上位装置から映像データ（または映像信号）の供給を受ける。この映像データは、画素の階調（明るさ）を指定するものであって、マトリクス状に配列する画素の垂直走査および水平走査した形式で供給されるので、プロジェクタに用いられる電気光学パネルについても、この形式に準じて駆動するのが適切である。このため、プロジェクタに用いられる電気光学パネルでは、走査線を順番に選択するとともに、１本の走査線が選択される期間（１水平走査期間）において１本ずつデータ線を順番に選択して、映像データを液晶の駆動に適するように変換した画像信号を、選択したデータ線に供給する、という点順次方式で駆動するのが一般的であった。
ところで近年では、ハイビジョンなどのように高精細化の要求が強い。高精細化は、走査線の本数およびデータ線の本数を増加させることによって達成することができるが、走査線本数の増加によって１水平走査期間が短縮し、さらに、点順次方式では、データ線本数の増加によって、データ線の選択期間も短縮する。このため、点順次方式では、高精細化が進行するにつれてデータ線に画像信号を供給する時間を充分に確保できなくなって、画素への書き込みが不十分となる、という欠点が目立ち始めた。
そこで、この欠点を解消する目的で、  相展開駆動という方式が考え出された（特許文献１参照）。この相展開駆動は、１水平走査期間において、データ線を予め定められた本数、例えば６本毎に同時に選択するとともに、選択走査線と選択データ線との交差に対応する画素への画像信号を時間軸に対し６倍に伸長して、選択した６本のデータ線の各々に供給する、という方式である。この相展開駆動方式では、データ線に画像信号を供給する時間を、点順次方式と比較して、この例では６倍確保することができるので、高精細化に適している、と考えられている。
［特許文献１］特開２０００−１１２４３７号公報
しかしながら、この相展開駆動では、複数本のデータ線を同時に選択することに起因して表示品位の低下現象が発生しやすい。この現象は、同時に選択されるデータ線の群間における容量結合に伴う画像信号の電圧変動によるもので、特にデータ線に沿って縦線となって視認される。
本発明は、上述した事情に鑑みてなされたもので、その目的とするところは、相展開したときの表示品位の低下現象を抑えて、高品位な表示を可能とする電気光学装置、電気光学装置の駆動方法、駆動回路、電気光学装置および電子機器を提供することにある。
【発明の開示】
上記目的を達成するために、本発明に係る電気光学装置は、複数の走査線とデータ線との交差に対応して設けられた画素と、前記走査線を順次選択する走査線駆動回路と、前記走査線が選択される水平表示期間に、所定数の前記データ線を含む複数のブロックを順次選択して、当該ブロックを選択する期間内に当該ブロックに含まれる前記所定数のデータ線に同時に画像信号を供給するデータ線駆動回路とを有し、前記データ線から前記画素に前記画像信号が供給される電気光学装置であって、前記複数のブロックのうちの第１ブロックを選択した後に、前記複数のブロックのうちの第２ブロックを選択し、前記第１ブロックを選択する期間と前記第２ブロックを選択する期間とは部分的に重なっており、前記水平表示期間の最初に選択される複数のデータ    線に対応する画素を、非表示とすることを特徴とする。この電気光学装置によれば、一以上のデータ線が選択されている最中に、別のデータ線が一以上選択されるので、データ線同士の選択期間が互いに一部重複する。さらに、画像信号線を同時に選択されるデータ線本数の以上備えることで、同時に選択されたデータ線に同一の画像信号線から信号が供給されることによって発生するゴースト等の画像の劣化を防止している。このように、同時選択に伴う容量結合の影響は、選択が重複するデータ線の双方に分散されるが、最初に選択される一以上のデータ線に対応する画素は、他の画素と影響が異なるので、本発明では非表示とさせることにより、表示品位の低下を防止する。
本発明に係る電気光学装置において、画素を非表示とさせるには、例えば、前記データ線駆動回路が、一つの走査線が選択される期間の最初に選択される一以上のデータ線に、画素を最低輝度または最低輝度近傍の輝度にさせる電圧を印加するするようにしても良く、また例えば、一つの走査線が選択される期間の最初に選択される一以上のデータ線に対応する画素を覆うように設けられた遮光層を有しても良い。さらに、一つの走査線が選択される期間の最初に選択される一以上のデータ線には、画素の一部または全部を設けないようにしても良い。
また、本発明に係る電気光学装置において、画像信号を供給する複数の画像信号線を有し、前記データ線駆動回路は、一端がデータ線に電気的に接続される一方、他端が前記画像信号線のいずれかに電気的に接続されたサンプリングスイッチであって、選択するデータ線に対応したものがオンするサンプリングスイッチを含む構成が好ましい。この構成では、選択期間が互いに一部重複するデータ線に対して適切に画像信号を供給することができる。
画像信号線を介して画像信号を供給する構成において、前記画像信号の各々は、画素の階調を指定する信号を、前記データ線駆動回路におけるデータ線の選択に同期して、前記画像信号線の本数に応じて時間軸に応じて伸長されるとともに、選択されるデータ線に供給されるように前記画像信号線に分配される構成も好ましい。この構成では、データ線に画像信号を供給する期間をより長くすることができる。
また、前記データ線駆動回路が、サ    ンプリングスイッチを有する場合、さらに、一つのパルスを、相隣接するパルスと互いに重複するように整形して、前記サンプリングスイッチのオンオフを制御するサンプリング信号として出力する論理回路を有する構成としても良い。さらに、前記論理回路は、前記一つのパルスと、位相が順次シフトした複数のイネーブル信号のいずれかとの論理演算を行う構成としても良い。このように構成することで、データ線を重複させながら選択することができる。
また、本発明に係る電気光学装置において、前記データ線駆動回路は、前記データ線駆動回路は、一以上のデータ線を一定期間だけ選択し、このデータ線を選択している最中に、別のデータ線を一以上一定期間だけ選択し、別のデータ線を一以上選択している最中に、さらに別のデータ線を一以上一定期間だけ選択する動作を繰り返しながら、一つの走査線が選択された期間にわたって全データ線を選択するようにしても良い。このように選択すれば、すべてのデータ線を、選択期間が互いに一部重複しながら順番に選択することができる。
なお、本発明は、電気光学装置のみならず、駆動方法、駆動回路としても概念することができる。加えて、本発明に係る電子機器は、上記電気光学装置を表示部として有するので、表示品位の低下を目立たなくすることが可能となる。
【図面の簡単な説明】    図１：本発明の実施形態に係る電気光学装置の構成を示すブロック図である。
図２：同電気光学装置における電気光学パネルの構成を示すブロック図である。
図３：同電気光学パネルにおける画素の構成を示す図である。
図４：同電気光学装置の動作を示すタイミングチャートである。
図５：同電気光学装置の動作を示すタイミングチャートである。
図６：同電気光学装置の表示動作を示す図である。
図７：同電気光学装置を適用したプロジェクタの構成を示す図である。
図８：比較例に係る電気光学装置    の電気光学パネル構成を示すブロック図である。
図９：比較例に係る電気光学装置の動作を示すタイミングチャートである。
図１０：比較例に係る電気光学装置の表示動作を示す図である。
【符号の説明】
１００…電気光学パネル、１０２…（表示）領域、１０３ａ、１０３ｂ…（非表示）領域、１０８…対向電極、１１０…画素、１１２…走査線、１１４…データ線、１１６…ＴＦＴ、１１８…画素電極、１３０…走査線駆動回路、１４０…データ線駆動回路、１４１…シフトレジスタ、１４６…サンプリングスイッチ、２００…制御回路、３００…処理回路、２１００…プロジェクタ。
以下、本発明を実施するための最良の形態について図面を参照して説明する。
１．第１実施形態
図１は、本発明の実施形態に係る電気光学装置の全体構成を示すブロック図である。この図に示されるように、電気光学装置は、電気光学パネル１００と、制御回路２００と、処理回路３００とから構成される。このうち、制御回路２００は、図示しない上位装置から供給される垂直走査信号Ｖｓ、水平走査信号Ｈｓおよびドットクロック信号ＤＣＬＫにしたがって、各部を制御するためのタイミング信号やクロック信号などを生成する。
処理回路３００は、さらに、Ｓ／Ｐ変換回路３０２、Ｄ／Ａ変換器群３０４および増幅・反転回路３０６から構成される。
このうち、Ｓ／Ｐ変換回路３０２は、上位装置から、垂直走査信号Ｖｓ、水平走査信号Ｈｓおよびドットクロック信号ＤＣＬＫに同期してシリアルで供給され、画素の階調レベル（明るさ）を画素毎にディジタル値で指定する映像データＶｉｄを、図４に示されるように、チャネルｃｈ１〜ｃｈ６の６系統に分配するとともに、時間軸に６倍に伸長（シリアル−パラレル変換）して、映像データＶｄ１ｄ〜Ｖｄ６ｄとして出力するものである。
したがって、映像データの１画素分    がドットクロックＤＣＬＫの１周期で供給される場合、伸長された映像データＶｄ１ｄ〜Ｖｄ６ｄの各々は、ドットクロックＤＣＬＫの６周期分にわたって供給されることになる。さらに、Ｓ／Ｐ変換回路３０２は、本実施形態ではチャネルへの分配の際に、チャネルｃｈ４〜ｃｈ６を、チャネルｃｈ１〜ｃｈ３に対しドットクロックＤＣＬＫの３周期分だけ遅延させて出力する。
なお、シリアル−パラレル変換する理由は、画像信号が印加される時間を長くして、後述するサンプリングスイッチにおけるサンプル＆ホールド時間および充放電時間を確保するためである。
Ｄ／Ａ変換器群３０４は、チャネルｃｈ１〜ｃｈ６毎に設けられたＤ／Ａ変換器であり、映像データＶｄ１ｄ〜Ｖｄ６ｄそれぞれ画素の階調に応じた電圧を有するアナログの画像信号に変換するものである。
増幅・反転回路３０６は、アナログ変換された画像信号を、電圧Ｖｃを基準にして極性反転または正転した後、適宜、増幅して画像信号Ｖｄ１〜Ｖｄ６として供給するものである。ここで、極性反転については、ａ．走査線毎、ｂ．データ信号線毎、ｃ．画素毎、ｄ．面（フレーム）毎などの態様があるが、この実施形態にあっては説明の便宜上、ａ．走査線単位の極性反転（１Ｈ反転）であるとする。ただし、本発明をこれに限定する趣旨ではない。また、電圧Ｖｃは、図５に示されるように画像信号の振幅中心電圧であり、対向電極に印加される電圧ＬＣｃｏｍとほぼ等しい。そして、本実施形態では、便宜上、振幅中心電圧Ｖｃよりも高位電圧を正極性といい、低位電圧を負極性と称することにする。
プリチャージ電圧生成回路３１０は、データ線に画像信号をサンプリングする直前の帰線期間において、プリチャージのための電圧信号Ｖｐｒｅを生成するものである。なお、本実施形態ではプリチャージ電圧信号Ｖｐｒｅとして、例えば画素を最高階調の白色と最低階調の黒色との中間値である灰色とさせる電圧（灰色相当電圧）を用いることにする。
上述したように本実施形態では、走査線単位の極性反転とするので、同一つの垂直走査期間では、正極性書込と負極性書込とが１水平走査期間毎に交互に実行される。このため、プリチャージ電圧生成回路３１０は、図５に示されるように、正極性書込直前の帰線期間では正極性    の灰色相当電圧Ｖｇ（＋）となるように、また、負極性書込直前の帰線期間では負極性の灰色相当電圧Ｖｇ（−）となるように、それぞれプリチャージ電圧信号Ｖｐｒｅを１水平走査期間毎に極性反転して生成する。
説明を図１に戻すと、セレクタ３５０は、例えば信号ＮＲＧがＬレベルであるときに増幅・反転回路３０６による画像信号Ｖｄ１〜Ｖｄ６を選択する一方、信号ＮＲＧがＨレベルであるときにプリチャージ電圧生成回路３１０によるプリチャージ電圧信号Ｖｐｒｅを選択して、電気光学パネル１００に信号Ｖｉｄ１〜Ｖｉｄ６として供給する。ここで、信号ＮＲＧは、制御回路２００から供給され、帰線期間の一部期間においてＨレベルとなる信号である。
したがって、信号Ｖｉｄ１〜Ｖｉｄ６は、信号ＮＲＧがＨレベルとなる期間では、プリチャージ電圧信号Ｖｐｒｅとなり、それ以外の期間では、それぞれ画像信号Ｖｄ１〜Ｖｄ６となる。
次に、電気光学パネル１００の詳細な構成について説明する。図２は、電気光学パネル１００の電気的な構成を示すブロック図である。この電気光学パネル１００は、素子基板と対向電極が形成された対向基板とを一定の間隙をもって貼り合わせるとともに、この間隙に液晶を封止した液晶表示パネルである。
この電気光学パネル１００では、図２に示されるように、複数のｍ本の走査線１１２がＸ方向に延在して配列する一方、複数の６ｎ（６の倍数）本のデータ線１１４がＹ方向に配列している。そして、これらの走査線１１２とデータ線１１４との交差部分の各々に対応するように画素１１０が設けられている。したがって、画素１１０は、縦ｍ行×横６ｎ列のマトリクス状に配列することになる。
本実施形態では、この画素配列において左端３列分の領域１０３ａおよび右端３列分の領域１０３ｂは、表示に寄与しない非表示領域として用いられる。このため、本実施形態において表示に寄与する表示領域１０２は、図に示されるように、左右各３列分を除いた領域に相当する縦ｍ行×横（６ｎ−６）列となる。
また、本実施形態において、非表示    領域１０３ａ、１０３ｂに属するデータ線１１４が選択されるタイミングでは、例えばＳ／Ｐ変換回路３０２は、映像データＶｉｄを黒色に相当する最低階調レベルに置換する。
続いて、表示領域１０２および非表示領域１０３ａ、１０３ｂの周辺には、走査線駆動回路１３０や、データ線駆動回路１４０などが設けられている。このうち、走査線駆動回路１３０は、図４に示されるように、順番に１水平有効表示期間だけＨレベルになる走査信号Ｇ１、Ｇ２、Ｇ３、…、Ｇｍの各々を、それぞれ１行目、２行目、３行目、…、ｍ行目の走査線１１２に供給するものである。なお、走査線駆動回路１３０の詳細については、本発明と直接関連しないので省略するが、１垂直走査期間（１Ｆ）の最初に供給される転送開始パルスＤＹを、クロック信号ＣＬＹのレベルが遷移する（立ち上がる、または、立ち下がる）毎に順次シフトした後、パルス幅を狭めるなどの波形整形処理をして、走査信号Ｇ１、Ｇ２、Ｇ３、…、Ｇｍとして出力する構成である。
次に、データ線駆動回路１４０は、シフトレジスタ１４１、ＡＮＤ回路１４２−ａ、１４２−ｂ、ＯＲ回路１４４によって構成される。このうち、シフトレジスタ１４１は、ｎ段のラッチ回路をカスケード接続したものであって、あるｉ段目のラッチ回路は、入力信号を、クロック信号ＣＬＸのレベルが遷移するタイミングにてラッチして、当該ラッチ信号を信号Ｓｉ’として出力するとともに、次の（ｉ＋１）段目のラッチ回路の入力として供給する構成となっている。ただし、１段目のラッチ回路は、１水平走査期間の開始時に供給される転送開始パルスＤＸを入力とする構成となっている。
したがって、シフトレジスタ１４１における各段目のラッチ回路から出力される信号Ｓ１’、Ｓ２’、Ｓ３’、…、Ｓｎ’は、図４に示される通りとなる。すなわち、信号Ｓ１’は、転送開始パルスＤＸをクロック信号ＣＬＸの遷移タイミングでラッチしたものとなる一方、信号Ｓ２’、Ｓ３’、…、Ｓｎ’は、信号Ｓ１’をクロック信号ＣＬＸの半周期ずつ順番に遅延させたものとなる。
なお、ここでいう「ｉ」は、１以上ｎ以下の整数であって、データ線１１４やラッチ回路の段数などを説明するためのものである。
次に、シフトレジスタ１４１による    信号Ｓ１’、Ｓ２’、Ｓ３’、…、Ｓｎ’は、それぞれ２経路に分岐される。ここで、ｉ段目を例にとって説明すると、２経路に分岐した信号Ｓｉ’は、ＡＮＤ回路１４２−ａ、１４２−ｂの入力端の一方にそれぞれ供給される。
ｉが奇数（１、３、５、…）である場合、ＡＮＤ回路１４２−ａの他方の入力端にはイネーブル信号Ｅｎｂ１が供給される一方、ＡＮＤ回路１４２−ｂの他方の入力端にはイネーブル信号Ｅｎｂ２が供給される。また、ｉが偶数（２、４、６、…）である場合、ＡＮＤ回路１４２−ａの他方の入力端にはイネーブル信号Ｅｎｂ３が供給される一方、ＡＮＤ回路１４２−ｂの他方の入力端にはイネーブル信号Ｅｎｂ４が供給される。
ここで、イネーブル信号Ｅｎｂ１〜Ｅｎｂ４は、互いＨレベルとなるパルス幅の期間が略同一であって、図４に示されるように、当該パルスの位相が互いに９０度ずつシフトした関係にあり、そのパルス幅は、クロック信号ＣＬＸの半周期よりも狭い。また、隣接するイネーブル信号同士では、パルス幅が一部重複している。
ＯＲ回路１４４は、ＡＮＤ回路１４２−ａ、１４２−ｂの各出力に対応して設けられ、対応するＡＮＤ回路による論理積信号と信号ＮＲＧとの論理和信号を３分岐して、サンプリングスイッチ１４６のゲートにそれぞれ供給する。
説明の便宜上、ＯＲ回路１４４の出力信号について、ＡＮＤ回路１４２−ａによる論理積信号と信号ＮＲＧとの論理和信号をサンプリング信号Ｓｉ−ａと表記し、ＡＮＤ回路１４２−ｂによる論理積信号と信号ＮＲＧとの論理和信号をサンプリング信号Ｓｉ−ｂと表記する。
サンプリングスイッチ１４６は、例えばｎチャネル型のＴＦＴ（薄膜トランジスタ）であり、データ線１１４毎に設けられ、６本の画像信号線１７１を介して供給される６チャネル分の信号Ｖｉｄ１〜Ｖｉｄ６の各々をデータ線１１４にサンプリングするためのものである。
詳細には、図２において左から数えてｋ列目のデータ線１１４の一端にドレインが接続されたサンプリングスイッチ１４６は、ｋを６で割った余りが「１」であるならば、ソースが、信号Ｖｉｄ１が供給される画像信号線１７１に接続される。同様に、ｋを６で割った余りが    「２」、「３」、「４」、「５」、「０」であるデータ線１１４にドレインが接続されたサンプリングスイッチ１４６の各々は、そのソースが、信号Ｖｉｄ２〜Ｖｉｄ６が供給される画像信号線１７１にそれぞれ接続されている。
また、ｋを６で割った商がｉであるデータ線１１４にドレインが接続されるとともに、信号Ｖｉｄ１〜Ｖｉｄ３が供給される画像信号線１７１にソースが接続されるサンプリングスイッチ１４６のゲートには、それぞれサンプリング信号Ｓｉ−ａが共通に供給される。同様に、ｋを６で割った商がｉであるデータ線１１４にドレインが接続されるとともに、信号Ｖｉｄ４〜Ｖｉｄ６が供給される画像信号線１７１にソースが接続されたサンプリングスイッチ１４６のゲートには、それぞれサンプリング信号Ｓｉ−ｂが共通に供給される。
例えば、図２において左から数えて１５列目のデータ線１１４にドレインが接続されたサンプリングスイッチ１４６のソースは、「１５」を６で割った余りが「３」であるから、信号Ｖｉｄ３が供給される画像信号線１７１に接続され、また、当該サンプリングスイッチ１４６のゲートは、「１４」を６で割った商が「２」であるから、１３列目および１４列目のデータ線１１４に対応するサンプリングスイッチ１４６とともに、サンプリング信号Ｓ２−ａが共通に供給されている。
次に、電気光学パネル１００における画素１１０について説明する。図３は、画素１１０の構成を示す回路図である。
この図に示されるように、画素１１０においては、ｎチャネル型のＴＦＴ１１６のソースがデータ線１１４に接続されるとともに、ドレインが画素電極１１８に接続される一方、ゲートが走査線１１２に接続されている。
また、画素電極１１８に対向するように、一定の電圧ＬＣｃｏｍに維持された対向電極１０８が全画素に対して共通に設けられるとともに、これらの画素電極１１８と対向電極１０８との間に液晶層１０５が挟持されている。このため、画素毎に、画素電極１１８、対向電極１０８および液晶層１０５からなる液晶容量が構成されることになる。
なお、特に図示はしないが、両基板    の各対向面には、液晶分子の長軸方向が両基板間で例えば約９０度連続的に捻れるようにラビング処理された配向膜がそれぞれ設けられる一方、両基板の各背面側には配向方向に応じた偏光子がそれぞれ設けられる。
画素電極１１８と対向電極１０８との間を通過する光は、液晶容量の電圧実効値がゼロであれば、液晶分子の捻れに沿って約９０度旋光する一方、当該電圧実効値が大きくなるにつれて、液晶分子が電界方向に傾く結果、その旋光性が消失する。このため、例えば透過型において、入射側と背面側とに、配向方向に合わせて偏光軸が互いに直交する偏光子をそれぞれ配置させたノーマリーホワイトモードである場合、液晶容量の電圧実効値がゼロであれば、光の透過率が最大となって白色表示になる一方、電圧実効値が大きくなるにつれて透過する光量が減少して、ついには透過率が最小である黒色表示になる。  また、液晶容量における電荷のリークを防止するために、蓄積容量１１９が画素毎に形成されている。この蓄積容量１１９の一端は、画素電極１１８（ＴＦＴ１１６のドレイン）に接続される一方、その他端は、全画素にわたって共通接地されている。
次に、本実施形態に係る電気光学装置の動作について説明する。図４および図５は、この電気光学装置の動作を説明するためのタイミングチャートである。
まず、垂直走査期間の最初において、転送開始パルスＤＹが走査線駆動回路１３０に供給される。この供給によって、図４に示されるように、走査信号Ｇ１、Ｇ２、Ｇ３、…、Ｇｍが順次排他的に水平有効表示期間だけＨレベルになる。
ここで、走査信号Ｇ１がＨレベルになる水平有効表示期間に着目すると、当該水平有効表示期間の先立つ帰線期間において、信号ＮＲＧが、図５に示されるように、その帰線期間の前後端から隔絶されたプリチャージ期間にてＨレベルになる。この水平有効表示期間において正極性書込が行われるとする。信号ＮＲＧがＨレベルになると、セレクタ３５０（図１参照）は、プリチャージ電圧信号Ｖｐｒｅを選択するので、６本の画像信号線１７１（図２参照）は、直後の水平有効表示期間における正極性書込に対応して電圧Ｖｇ（＋）となる。
また、信号ＮＲＧがＨレベルになる    と、ＡＮＤ回路１４２−ａ、１４２−ｂの出力レベルにかかわらず、ＯＲ回路１４４の論理積信号であるサンプリング信号が強制的にＨレベルになるので、すべてのサンプリングスイッチ１４６がオンする。したがって、信号ＮＲＧがＨレベルになると、すべてのデータ線１１４には、画像信号線１７１の電圧信号Ｖｐｒｅがサンプリングされる結果、直後の正極性書込に対応して電圧Ｖｇ（＋）でプリチャージされることとなる。
次に、帰線期間が終了すると、転送開始パルスＤＸは、シフトレジスタ１４１の各ラッチ回路によって順次シフトされて、図４に示されるように、水平有効表示期間にわたって、信号Ｓ１’、Ｓ２’、Ｓ３’、…、Ｓｎ’として出力される。
このうち、信号Ｓ１’の分岐信号の一方とイネーブル信号Ｅｎｂ１との論理積がＡＮＤ回路１４２−ａによって求められて、サンプリング信号Ｓ１−ａとして出力され、また、信号Ｓ１’の分岐信号の他方とイネーブル信号Ｅｎｂ２との論理積がＡＮＤ回路１４２−ｂによって求められて、サンプリング信号Ｓ１−ｂとして出力される。イネーブル信号Ｅｎｂ１のパルス後縁は、イネーブル信号Ｅｎｂ２のパルス前縁と重複しているので、サンプリング信号Ｓ１−ａ、Ｓ１−ｂもＨレベルとなる期間が一部重複する。
続いて、信号Ｓ２’の分岐信号の一方とイネーブル信号Ｅｎｂ３との論理積がＡＮＤ回路１４２−ａによって求められて、サンプリング信号Ｓ２−ａとして出力され、また、信号Ｓ２’の分岐信号の他方とイネーブル信号Ｅｎｂ４との論理積がＡＮＤ回路１４２−ｂによって求められて、サンプリング信号Ｓ２−ｂとして出力される。
イネーブル信号Ｅｎｂ３は、そのパルス前縁においてイネーブル信号Ｅｎｂ２の後縁と重複する一方、そのパルス後縁においてイネーブル信号Ｅｎｂ４の前縁と重複するので、サンプリング信号Ｓ２−ａは、その前縁においてサンプリング信号Ｓ１−ｂと、その後縁においてサンプリング信号Ｓ２−ｂと、それぞれ一部重複する。
同様に、イネーブル信号Ｅｎｂ４は、そのパルス前縁においてイネーブル信号Ｅｎｂ３の後縁と重複する一方、そのパルス後縁においてイネーブル信号Ｅｎｂ１の前縁と重複するので、サンプリング信号Ｓ２−ｂは、その前縁においてサンプリング信号Ｓ２−ａと、その後縁に    おいてサンプリング信号Ｓ３−ａ（図４では省略）と、それぞれ一部重複する。
したがって、あるサンプリング信号は、その前後のサンプリング信号とＨレベルとなる期間が一部重複することになる。本実施形態では、あるタイミングにおいて選択されているデータ線１１４の本数の最大値は、サンプリング信号が重複する場合で６本となる。選択されているデータ線１１４の各々に対しては、画像信号を、個別の画像信号線１７１を介して供給する必要があるので、本実施形態は、この最大値に合わせて画像信号線１７１が６本となっている。
一方、水平走査に同期して供給される映像データＶｉｄは、第１に、Ｓ／Ｐ変換回路３０２によって６チャネルに分配されるとともに、時間軸に対して６倍に伸長され、第２に、Ｄ／Ａ変換器群３０４によってそれぞれアナログ信号に変換されるとともに、正極性書込に対応して、電圧Ｖｃを基準に正転出力される。このため、正転出力される画像信号Ｖｄ１〜Ｖｄ６は、画素を黒色とするにつれて、電圧Ｖｃよりも高位電圧となる。
また、水平有効表示期間では、信号ＮＲＧがＬレベルであるため、セレクタ３５０は、当該画像信号Ｖｄ１〜Ｖｄ６を選択する結果、６本の画像信号線１７１に供給される信号Ｖｉｄ１〜Ｖｉｄ６は、増幅・反転回路３０６による画像信号Ｖｄ１〜Ｖｄ６となる。
なお、図５では、６本の画像信号線１７１に供給される信号のうち、チャネルｃｈ１に相当する信号Ｖｉｄ１の電圧変化が示されている。帰線期間において、画像信号Ｖｄ１〜Ｖｄ６を、極性に応じた黒色相当電圧Ｖｂ（＋）またはＶｂ（−）とする場合、画像信号線１７１に供給される信号Ｖｉｄ１も、黒色相当電圧のいずれかとなるが、信号ＮＲＧがＨレベルであるときは、プリチャージ電圧信号Ｖｐｒｅとなるので、直後の書込極性に応じた灰色相当電圧Ｖｇ（＋）またはＶｇ（−）となる。
走査信号Ｇ１がＨレベルになる水平有効表示期間において、サンプリング信号Ｓ１−ａのみがＨレベルになると、図２において左から数えて１〜３列目のデータ線１１４の各々には、それぞれ画像信号Ｖｄ１〜Ｖｄ３がサンプリングされる。そして、サンプリングされた画像信号Ｖｄ１〜Ｖｄ３は、図２において上から数えて１行目の走査線１１２と１〜３列    目のデータ線１１４との交差に対応する画素１１０の画素電極１１８にそれぞれ印加される。
ただし、１〜３列目のデータ線１１４は、非表示領域１０３ａに属するので、サンプリングされる画像信号は、正極性書込に対応した黒色相当電圧Ｖｂ（＋）である。このため、１行１列〜１行３列の画素は、映像データＶｉｄで指定された階調とは無関係に黒色化される。
次に、サンプリング信号Ｓ１−ａとともに、サンプリング信号Ｓ１−ｂもＨレベルになると、今度は、４〜６列目のデータ線１１４の各々に、それぞれ画像信号Ｖｄ４〜Ｖｄ６がサンプリングされて、１行目の走査線１１２と４〜６列目のデータ線１１４との交差に対応する画素１１０の画素電極１１８にそれぞれ印加される。ここで、４〜６列目のデータ線１１４は、表示領域１０２に属するので、サンプリングされた画像信号は、映像データＶｉｄで指示された階調レベルであって、正極性書込に対応した電圧である。このため、１行４列〜１行６列の画素は、映像データＶｉｄで指定された階調となる。
このように、サンプリング信号Ｓ１−ａのみがＨレベルとなっている最中において、サンプリング信号Ｓ１−ｂもＨレベルとなると、１行目の走査線１１２と１〜３列目のデータ線１１４との交差に対応する画素１１０への書き込みの最中に、当該走査線１１２と４〜６列目のデータ線１１４との交差に対応する画素１１０への書き込みが並行して実行されることになる。
続いて、サンプリング信号Ｓ１−ａがＬレベルになって、サンプリング信号Ｓ１−ｂだけがＨレベルになった状態を経て、サンプリング信号Ｓ２−ａもＨレベルになると、７〜９列目のデータ線１１４の各々に、それぞれ画像信号Ｖｄ１〜Ｖｄ３がサンプリングされて、１行目の走査線１１２と７〜９列目のデータ線１１４との交差に対応する画素１１０の画素電極１１８にそれぞれ印加される。７〜９列目のデータ線１１４も、表示領域１０２に属するので、１行７列〜１行９列の画素は、映像データＶｉｄで指定された階調となる。
このように、サンプリング信号Ｓ１−ｂのみがＨレベルとなっている状態において、サンプリング信号Ｓ２−ａもＨレベルとなると、１行目の走査線１１２と４〜６列目のデータ線１１４との交差    に対応する画素１１０への書き込みの最中に、当該走査線１１２と７〜９列目のデータ線１１４との交差に対応する画素１１０への書き込みが並行して実行されることになる。
次に、サンプリング信号Ｓ１−ｂがＬレベルになって、サンプリング信号Ｓ２−ａだけがＨレベルになった状態を経て、サンプリング信号Ｓ２−ｂもＨレベルになると、１０〜１２列目のデータ線１１４の各々に、それぞれ画像信号Ｖｄ４〜Ｖｄ６がサンプリングされて、１行目の走査線１１２と１０〜１２列目のデータ線１１４との交差に対応する画素１１０の画素電極１１８にそれぞれ印加される。１０〜１２列目のデータ線１１４も、表示領域１０２に属するので、１行１０列〜１行１２列の画素は、映像データＶｉｄで指定された階調となる。
したがって、サンプリング信号Ｓ２−ａのみがＨレベルとなっている状態において、サンプリング信号Ｓ２−ｂもＨレベルとなると、１行目の走査線１１２と７〜９列目のデータ線１１４との交差に対応する画素１１０への書き込みの最中に、当該走査線１１２と１０〜１２列目のデータ線１１４との交差に対応する画素１１０への書き込みが実行されることになる。
以下同様な書き込みが、サンプリング信号Ｓｎ−ｂがＨレベルになるまで繰り返されて、１行目の画素のすべてに対する書き込みが完了することになる。なお、サンプリング信号Ｓｎ−ｂに対応する（６ｎ−２）〜６ｎ列目のデータ線１１４は、非表示領域１０３ｂに属するので、サンプリングされる画像信号は、正極性書込に対応した黒色相当電圧Ｖｂ（＋）である。このため、１行（６ｎ−２）列〜１行６ｎ列の画素は、映像データＶｉｄで指定された階調とは無関係に黒色化される。
そして、走査信号Ｇ１がＬレベルになると、１行目の走査線１１２に接続されたＴＦＴ１１６はオフになるが、蓄積容量１１９や液晶層自身の容量性により、画素電極１１８にはＴＦＴ１１６のオン時に書き込まれた電圧が保持されて、当該保持電圧に応じた階調が維持されることになる。
次に、走査信号Ｇ２がＨレベルとな    る直前の帰線期間のうち、信号ＮＲＧがＨレベルとなるプリチャージ期間になると、上述したように、６本の画像信号線１７１には、プリチャージ電圧生成回路３１０によるプリチャージ電圧信号Ｖｐｒｅがそれぞれ供給される。ただし、走査信号Ｇ２がＨレベルとなる水平有効表示期間では、走査線毎の極性反転のために負極性書込となるので、すべてのデータ線１１４は、負極性書込に対応して電圧Ｖｇ（−）でプリチャージされることとなる。
他の動作については走査信号Ｇ１がＨレベルになる期間と同様であり、サンプリング信号Ｓ１−ａ、Ｓ１−ｂ、Ｓ２−ａ、Ｓ２−ｂ、…、Ｓｎ−ｂが順次Ｈレベルとなることによって、２行目の画素のすべてに対する書き込みが完了することになる。なお、増幅・反転回路３０６は、Ｄ／Ａ変換器群３０４によるアナログ信号を、それぞれ負極性書込に対応して、電圧Ｖｃを基準に反転出力するので、信号Ｖｉｄ１〜Ｖｉｄ６（Ｖｄ１〜Ｖｄ６）は、画素を黒色側とするにつれて、電圧Ｖｃよりも低位電圧となる（図５参照）。
以下同様にして、走査信号Ｇ３、Ｇ４、…、ＧｍがＨレベルになって、３行目、４行目、…、ｍ行目の画素に対して書き込みが行われることになる。これにより、奇数行目の画素については正極性書込が行われる一方、偶数行目の画素については負極性書込が行われて、この１垂直走査期間においては、１〜ｍ行目の画素のすべてにわたって書き込みが完了することになる。
そして、次の１垂直走査期間（１Ｆ）においても、同様な書き込みが行われるが、この際、各行の画素に対する書込極性が入れ替えられる。すなわち、次の１垂直走査期間において、奇数行目の画素については負極性書込が行われる一方、偶数行目の画素については正極性書込が行われることになる。このように、垂直走査期間毎に画素に対する書込極性が入れ替えられるので、液晶に直流成分が印加されることがなくなり、液晶の劣化が防止される。なお、書込極性の反転に合わせてプリチャージ電圧信号Ｖｐｒｅも極性反転する。
ここで、本実施形態に係る電気光学    装置の優位性を説明するために、６本のデータ線を同時に選択する背景技術の構成を比較例として説明する。図８は、比較例に係る電気光学装置であって、１水平走査期間において６本のデータ線が同時に選択される電気光学パネルの要部構成を示すブロック図である。また、図９は、比較例に係る電気光学装置の動作を説明するためのタイミングチャートである。
この比較例に係る電気光学装置が、実施形態に係る電気光学装置と相違する点は、比較例に係る電気光学装置では、第１に、６本のデータ線が同時に選択される点と、第２に、６本のデータ線が選択される期間では、それ以外のデータ線が選択されない点とである。
複数本のデータ線を同時に選択することに起因して表示品位が低下する第１の原因として、画像信号線１７１と対向電極１０８との容量結合や、データ線１１４と対向電極１０８との容量結合、対向電極１０８の抵抗性などにより、一定であるはずの対向電極１０８の電圧が、画像信号線１７１の電圧変化に応じて変動してしまうことが挙げられる。
上記比較例では、図９または図１０に示されるように、１水平走査期間において、１〜６列目、７〜１２列目、１３〜１８列目という順番でデータ線１１４が選択されているが、例えば１〜６列目のデータ線１１４が選択されたとき、画像信号の供給に伴う画像信号線１７１の電圧変化や、画像信号のサンプリングに伴うデータ線１１４の電圧変化などによって、対向電極１０８は電圧変動する。この電圧変動が収束していない状態で、次の７〜１２列目のデータ線１１４が実際に選択されると、対応する画素の画素電極１１８に画像信号が正しく印加されても、対向電極１０８が電圧ＬＣｃｏｍとなっていないので、液晶容量に保持される電圧が所期の値と異なってしまい、これが表示品位の低下として視認されることになる。
また、比較例において、対向電極１０８の電圧変動は、同時に選択される６本のデータ線に対し均等に影響を与えるので、表示品位の低下は、６本のデータ線１１４に対応する６個の画素を単位として発生する、ということができる。
一方、本実施形態においても、例え    ば４〜６列目の画素は、その前の１〜３列目のデータ線１１４が選択されたときにおける対向電極１０８の電圧変動の影響を受ける。次の７〜９列目の画素は、その前の４〜６列目のデータ線１１４が選択されたときの電圧変動の影響を受ける。すなわち、ある３列の画素は、その前段に位置する３本のデータ線１１４が選択されたときの電圧変動の影響を受ける。
しかしながら、本実施形態では、対向電極１０８の電圧変動の影響を受けるのは、３本のデータ線１１４毎になるので、比較例に係る６本のデータ線よりも小さくなる結果、表示品位の低下として視認されにくくなる。しかも、本実施形態では、比較例と同様に映像データＶｉｄが時間軸に対し６倍に伸長されるので、書込不足となる可能性は少ない。
ところで、１〜３列目の画素については、それ以前に選択されるデータ線１１４が存在しないので、対向電極１０８の電圧変動の影響を受けないことになる。したがって、このままでは、１〜３列目の画素だけが、対向電極１０８の電圧変動の影響を受ける４列目以降の画素と表示品位が異なってしまうことになる。
そこで、本実施形態では、上述したように、１〜３列目の画素については、映像データＶｉｄで指定される階調とは無関係に黒色に置換する構成を採用している。そして、この構成によって、１〜３列目の画素が表示には寄与しないことになるので、表示品位の低下を避けることができる。
なお、本実施形態では、１〜３列目の画素のみを非表示領域１０３ａとしたが、対向電極１０８の時定数によっては、電圧変動が収束しにくい場合が考えられる。この場合、ある３列の画素は、その前段に位置する３本のデータ線１１４が選択されたときの電圧変動のみならず、さらに前々段に位置する３本のデータ線１１４が選択されたときの電圧変動の影響を受けることになる。例えば７〜９列目の画素は、その前の４〜６列目のデータ線１１４が選択されたときの電圧変動のみならず、さらに１〜３列目のデータ線１１４が選択されたときの電圧変動の影響を受けることも想定される。このような場合、４〜６列目の画素については、前々段に相当するデータ線１１４が存在せず、その選択に伴う対向電極１０８の電圧変動の影響を受けない    ので、４〜６列目の画素も、１〜３列目の画素と同様に、４列目以降の画素と表示品位が異なることになる。したがって、このような場合には、４〜６列目の画素についても非表示領域１０３ａとすれば良い。
また、表示品位の低下が第１の原因であるならば、右端の（６ｎ−２）〜６ｎ列目の画素を非表示領域１０３ｂとする必要がない、と考えられる。
ここで、プロジェクタを、ＲＧＢに対応した３板式とする場合、後述するように、ある色については、左右反転像を形成し、他の色については正転像を形成して、これを合成して投射する必要がある。このため、左右反転像を形成する電気光学パネルのデータ線駆動回路１４０については、水平走査方向をＳｎ−ｂ→Ｓ１−ａの方向とされる。水平走査方向がＳｎ−ｂ→Ｓ１−ａの方向となった場合、１水平有効表示期間の最初に選択されるのは、６ｎ〜（６ｎ−２）列目のデータ線１１４となるので、これに対応して領域１０３ｂを非表示とする必要がある。
したがって、領域１０３ａのみならず領域１０３ｂについても非表示としなければ、合成に際し左右対称性を確保できないので、正転像の中心と左右反転像の中心とがパネルに対して一致しない不都合が発生することになる。本実施形態において、領域１０３ｂについても非表示としている理由は、ここにある。
なお、左右対称性を確保する等の必要がないのであれば、領域１０３ｂについて非表示とさせないで、表示に寄与させて良い。
また、プロジェクタは、机上に設置されたり、天井から吊り下げたりすることもあるので、走査線駆動回路１３０を、垂直走査方向がＧ１→Ｇｍの方向だけでなく、上下反転像が形成可能となるようにＧｍ→Ｇ１の方向に切替可能とする構成としても良い。
次に、複数本のデータ線を同時に選択することに起因して表示品位が低下する第２の原因としては、データ線１１４同士が互いに容量結合していることが挙げられる。
上記比較例では、１〜６列目のデータ線１１４が選択され、対応する画素への書き込みが完了してから、次の７〜１２列目のデータ線１１４が選択される構成となるが、次の７〜１２列目のデータ    線１１４が選択されて、対応する画素への画像信号のサンプリングにより電圧変化すると、６列目のデータ線１１４も、隣接する７列目のデータ線の電圧変化に伴って電圧変化してしまう。１水平走査期間においては、選択走査線に対応するＴＦＴ１１６がすべてオンしているので、選択行であって６列目の画素は、電圧変化した６列目のデータ線の電圧を再度書き込みしてしまう。この再度の書き込みによって画素の階調が所期の値から変化して、これが表示品位の低下として視認されることになる。
また、１２、１８列目の画素のように、同時選択される６本のデータ線１１４のうち、次に選択される６本のデータ線側に対応するものは、６列目のデータ線に対応する画素と同様な理由によって、表示品位の低下として視認されやすい。
なお、例えば１〜５列目のデータ線１１４も、６列目のデータ線１１４と同様に、７（〜１２）列目のデータ線１１４と容量結合するが、距離的に離れているため、その影響は、６列目のデータ線１１４と比較して無視することができる。
一方、本実施形態では、図６（ａ）に示されるように、１〜３列目のデータ線１１４が選択されている最中に、次の４〜６列目のデータ線１１４が選択され、さらに、４〜６列目のデータ線１１４が選択されている最中に、次の７〜９列目のデータ線１１４が選択される、というように、データ線１１４の３本は、左右に相隣接するデータ線１１４の３本と、それぞれ選択が重複する。
このため、例えば１〜３列目のデータ線１１４が選択されている最中に、４〜６列目のデータ線１１４が選択され、４列目のデータ線１１４に画像信号がサンプリングされても、３列目のデータ線１１４は画像信号線１７１に電気的な接続が維持されている。したがって、３列目のデータ線１１４は、４列目のデータ線への画像信号のサンプリングに伴う電圧変化の影響をほとんど受けないので、表示品位の低下として視認されにくいのである。６列目、９列目、…についても同様である。
なお、上述した実施形態では、非表示領域１０３ａ、１０３ｂの画素を、表示に寄与させないために強制的に黒色化したが、非表示領域の態様としては、このほかにも種々の態様が考えられる。
例えば、第１に、非表示領域１０３    ａ、１０３ｂの画素を、黒色に近い色としても良い。
第２に、非表示領域としてデータ線１１４のみを形成して、画素１１０の全部または一部については形成しないようにしても良い。具体的な手法としては、（Ａ）画素電極１１８を形成しない、（Ｂ）ＴＦＴ１１６を形成しない、（Ｃ）画素電極１１８を絶縁体で形成する、（Ｄ）画素電極１１８あるいはＴＦＴ１１６がデータ線１１４に電気的に接続されないように、断線などの措置を施す、などの手法を用いればよい。
第３に、画素１１０を形成する／しないにかかわらず、非表示領域とする部分に対応して遮光層（または額縁）を設けても良い。
また、１〜３列目、および、（６ｎ−２）〜６ｎ列目の画素を黒色に置換するのではなく、非表示領域に相当する黒色画素を、映像データＶｉｄで指定された画像の左右両端に付加して、画像形成する構成としても良い。
いずれにしても非表示領域１０３ａ、１０３ｂが表示領域１０２と区別される形式であれば、その態様は問われないと考える。
上述した実施形態にあっては、チャネルｃｈ４〜ｃｈ６の画像信号を、チャネルｃｈ１〜ｃｈ３に対してドットクロックＤＣＬＫの３周期分だけ遅延させた構成としたが、例えば、チャネルｃｈ３、ｃｈ４の画像信号をチャネルｃｈ１、ｃｈ２に対してドットクロックＤＣＬＫの２周期分だけ遅延させるとともに、チャネルｃｈ５、ｃｈ６の画像信号をチャネルｃｈ３、ｃｈ４に対してドットクロックＤＣＬＫの２周期分（チャネルｃｈ１、ｃｈ２に対してドットクロックＤＣＬＫの４周期分）だけ遅延させる構成としても良い。このような構成では、図６（ｂ）に示されるように、対向電極１０８の電圧変動を受ける単位がデータ線１１４の２本毎になって少なくなるので、表示品位の低下をより視認しにくくすることができる。
きらに、チャネルｃｈ２、ｃｈ３、ｃｈ４、ｃｈ５、ｃｈ６の画像信号を、それぞれチャネルｃｈ１に対してドットクロックＤＣＬＫの１、２、３、４、５周期分だけ遅延させる構成としても良い。このような構成では、図６（ｃ）に示されるように、対向電極１０８の電圧変    動を受ける単位がデータ線１１４の１本となり最小となるので、表示品位の低下をさらに視認しにくくすることができる。
また、上述した実施形態にあっては、映像データＶｉｄを６チャネルの映像データＶｄ１ｄ〜Ｖｄ６ｄに展開する構成したが、展開するチャネル数は、「６」に限られるものではなく、２以上であれば良い。例えば、展開するチャネル数を「３」や、「１２」、「２４」、「４８」として、３、１２、２４、４８本の画像信号を供給する構成としても良い。
なお、チャネル数としては、カラーの画像信号が３つの原色に係る信号からなることとの関係から、３の倍数であることが制御や回路などを簡易化する上で好ましい。ただし、後述する３板式のプロジェクタでは、１つのパネルで１つの原色画像を形成するので、３の倍数である必要はない。
一方、上述した実施形態において、処理回路３００は、ディジタルの映像信号Ｖｉｄを処理するものとしたが、アナログの画像信号を処理する構成としても良い。また、処理回路３００においては、Ｓ／Ｐ展開の後にアナログ変換する構成としたが、最終的な出力が同じアナログ信号でなるならば、アナログ変換した後にＳ／Ｐ展開する構成としても良い。
さらに、上述した実施形態にあっては、対向電極１０８と画素電極１１８との電圧実効値が小さい場合に白色表示を行うノーマリーホワイトモードとして説明したが、黒色表示を行うノーマリーブラックモードとしても良い。
上述した実施形態では、液晶としてＴＮ型を用いたが、ＢＴＮ（Ｂｉ−ｓｔａｂｌｅ  Ｔｗｉｓｔｅｄ  Ｎｅｍａｔｉｃ）型・強誘電型などのメモリ性を有する双安定型や、高分子分散型、さらには、分子の長軸方向と短軸方向とで可視光の吸収に異方性を有する染料（ゲスト）を一定の分子配列の液晶（ホスト）に溶解して、染料分子を液晶分子と平行に配列させたＧＨ（ゲストホスト）型などの液晶を用いても良い。
また、電圧無印加時には液晶分子が両基板に対して垂直方向に配列する一方、電圧印加時には液晶分子が両基板に対して水平方向に配列する、という垂直配向（ホメオトロピック配向）の構成とし    ても良いし、電圧無印加時には液晶分子が両基板に対して水平方向に配列する一方、電圧印加時には液晶分子が両基板に対して垂直方向に配列する、という平行（水平）配向（ホモジニアス配向）の構成としても良い。このように、本発明では、液晶や配向方式として、種々のものに適用することが可能である。
以上については、液晶装置について説明したが、本発明では、映像データ（映像信号）をＳ／Ｐ展開して画像信号線を介して供給する構成であれば、例えばＥＬ（Ｅｌｅｃｔｒｏｎｉｃ  Ｌｕｍｉｎｅｓｃｅｎｃｅ）素子、電子放出素子、電気詠動素子、デジタルミラー素子（ＤＭＤ）、ＬＣＯＳなどを用いた装置や、プラズマディスプレイなどにも適用可能である。なお、ＬＣＯＳやＤＭＤのようなシリコン基板上に素子を形成する装置の場合、画素１１０においてＴＦＴ（薄膜トランジスタ）１１６の替わりに、トランジスタを用いることができる。
２．応用例
＜電子機器＞
次に、上述した実施形態に係る電気光学装置を用いた電子機器の例として、上述した電気光学電気光学パネル１００をライトバルブとして用いたプロジェクタについて説明する。
図７は、このプロジェクタの構成を示す平面図である。この図に示されるように、プロジェクタ２１００の内部には、ハロゲンランプ等の白色光源からなるランプユニット２１０２が設けられている。このランプユニット２１０２から射出された投射光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
ここで、ライトバルブ１００Ｒ、１    ００Ｇおよび１００Ｂの構成は、上述した実施形態における電気光学電気光学パネル／１００と同様であり、処理回路（図７では省略）から供給されるＲ、Ｇ、Ｂの各色に対応する画像信号でそれぞれ駆動されるものである。
ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、スクリーン２１２０には、投射レンズ２１１４によってカラー画像が投射されることとなる。
なお、ライトバルブ１００Ｒ、１００Ｇおよび１００Ｂには、ダイクロイックミラー２１０８によって、Ｒ、Ｇ、Ｂの各原色に対応する光が入射するので、カラーフィルタを設ける必要はない。また、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右反転像を表示させる構成となっている。
また、電子機器としては、図７を参照して説明した他にも、直視型、例えば携帯電話や、パーソナルコンピュータ、テレビジョン、ビデオカメラのモニタ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの各種の電子機器に対して、本発明に係る電気光学装置が適用可能なのは言うまでもない。
【図１】
2005076256.tif 000002
【図２】
2005076256.tif 000003
【図３】
2005076256.tif 000004
【図４】
2005076256.tif 000005
【図５】
2005076256.tif 000006
【図６】
2005076256.tif 000007
【図７】
2005076256.tif 000008
【図８】
2005076256.tif 000009
【図９】
2005076256.tif 000010
【図１０】
2005076256.tif 000011
【国際調査報告】
2005076256.tif 000012
2005076256.tif 000013
2005076256.tif 000014
2005076256.tif 000015